(57)【要約】【課題】机上に配置した場合であっても、景観を損なわずかつ利用者に圧迫感を与えることがない操作性の高い入出力装置及び入出力装置の設置方法を提供する。【解決手段】机上Ｄの所定領域Ｅへ画像を投影する表示装置１、及び机上Ｄの所定領域Ｅに置いた原稿の画像を取り込む読取装置２が隣接状態で一体化される装置本体部３と、該装置本体部３を持ち上げるための把持部４とを具備し、装置本体部３は、利用者Ａが着座した状態で、利用者Ａにより把持部４を介して持ち上げ可能な高さに設定される。【選択図】図１
2020178252.tif 000002
【特許請求の範囲】
【請求項１】
机上の所定領域へ画像を投影する表示装置、及び机上の所定領域に置いた原稿の画像を取り込む読取装置が隣接状態で一体化される装置本体部と、
該装置本体部を持ち上げるための把持部と、を具備し、
前記装置本体部は、利用者が着座した状態で、利用者により前記把持部を介して持ち上げ可能な高さに設定されることを特徴とする入出力装置。
【請求項２】
前記装置本体部を構成する前記表示装置及び読取装置は、画像を投稿しかつ原稿を読み取り可能な机上の所定領域の垂直方向よりも外側に設置されることを特徴とする請求項１に記載の入出力装置。
【請求項３】
前記装置本体部の高さは、利用者が着座した際、利用者の座面位置と肩、肘の身体部位との距離に基づき設定されることを特徴とする請求項１又は２のいずれか１に記載の入出力装置。
【請求項４】
前記装置本体部は、前記表示装置及び読取装置が互いに隣接する隣接面の連結部を介して一体化又は分離可能に設けられていることを特徴とする請求項１〜３のいずれか１に記載の入出力装置。
【請求項５】
前記装置本体部は、机上に設置されるトレーを介して隣接状態で一体化されることを特徴とする請求項１〜４のいずれか１に記載の入出力装置。
【請求項６】
前記把持部は、前記机上に設置されるトレーに配置されることを特徴とする請求項５に記載の入出力装置。
【請求項７】
前記把持部は、投影画像を出力する光学レンズ又は原読画像を取り込むための光学レンズからの光線と交差しない、前記装置本体部の背面又は側面に配置されたことを特徴とする請求項１〜６のいずれか１に記載の入出力装置。
【請求項８】
机上の所定領域へ画像を投影する表示装置、及び机上の所定領域に置いた原稿の画像を取り込む読取装置が隣接状態で一体化される装置本体部と、該装置本体部を持ち上げるための把持部と、を具備する入出力装置において、
前記装置本体部の高さを、利用者が着座した状態で、利用者により前記把持部を介して持ち上げ可能な高さに設定することを特徴とする入出力装置の設置方法。
【発明の詳細な説明】
【技術分野】
【０００１】
本発明は、机上へ画像を投影する表示装置と、机上に置いた原稿の画像を取り込む読取装置とを共に有する入出力装置及び入出力装置の設置方法に関する。
【背景技術】
【０００２】
金融機関や冠婚葬祭、不動産等の業種では、顧客と対面した方式で商談・相談する機会が増大している。
このような相談・商談を行う場合には、応接室や接客用の個室、又はパーテーションで仕切られた接客コーナーを利用することが一般的である。
【０００３】
このような場所においては、顧客に対して資料を提示し各種の説明を行う、又は顧客から本人確認資料を受け取る、予め用意してもらった記入済の文書などを受け取るといった作業が多々行われる。
このとき、顧客に対応する担当者は、ディスプレー機器やタブレット機器を用いて資料の提示を行い、また、顧客から受け取った資料・文書について、別の場所にある複合機やイメージスキャナ装置を用いて画像取得することが一般的である。
【０００４】
このような応接室、接客用個室又接客コーナーで利用可能な機器として、特許文献１に示されるＯＨＰ（Overhead projector）兼用のイメージスキャナがある。
このＯＨＰ兼用のイメージスキャナでは、原稿フィルム台座上に置かれた原稿フィルムの画像をスクリーンに投影するＯＨＰ機構部と、スクリーンに投影した画像を撮影する画像撮影部と、を共に具備している。
そして、このＯＨＰ兼用のイメージスキャナは、画像投影と、画像スキャンという２つの機構を有しているが、原稿フィルム台座上の原稿フィルムを対象としたものであり、机上に載置した紙原稿のスキャンを行うことはできず、上述した接客用個室又接客コーナーで簡便に利用できるものではない。
【０００５】
一方、机上で簡易に利用できるスキャン技術として特許文献２に示される画像読取り装置が知られている。
この画像読取り装置は、通常使用される姿勢において、画像読取りヘッドが平均的な体格の人の眼よりも上で頭頂部よりも下の高さとなるように、画像読取りヘッドを支持するアームが設けられる構成である。
このアームは、原稿の中心線から脇に逸れた位置に設けられたものである。また、画像読取りヘッドを有する光学系の光路について、鏡で９０度折曲げかつ読取り原稿と平行に光軸を配置することで、画像読取りヘッドの垂直方向に沿う厚みを小さくしている。
【先行技術文献】
【特許文献】
【０００６】
【特許文献１】実開昭６２−１２７１７３号公報
【特許文献２】特開２００４−３３６１１５号公報
【発明の概要】
【発明が解決しようとする課題】
【０００７】
ところで、特許文献１に示されるＯＨＰ兼用のイメージスキャナ、及び特許文献２に示される画像読取り装置は、机上に配置することで、景観を損ないかつ利用者に圧迫感を与えることがあり、その結果、商談に心理的な悪影響を及ぼすという不具合が生じる。
【０００８】
この発明は、上述した事情に鑑みてなされたものであって、机上に配置した場合であっても、景観を損なわずかつ利用者に圧迫感を与えることがない操作性の高い入出力装置及び入出力装置の設置方法を提供する。
【課題を解決するための手段】
【０００９】
上記課題を解決するために、この発明は以下の手段を提案している。
本発明の第1態様に示す入出力装置では、机上の所定領域へ画像を投影する表示装置、及び机上の所定領域に置いた原稿の画像を取り込む読取装置が隣接状態で一体化される装置本体部と、該装置本体部を持ち上げるための把持部と、を具備し、前記装置本体部は、利用者が着座した状態で、利用者により前記把持部を介して持ち上げ可能な高さに設定されることを特徴とする。
【００１０】
本発明の第２態様に示す設置方法は、机上の所定領域へ画像を投影する表示装置、及び机上の所定領域に置いた原稿の画像を取り込む読取装置が隣接状態で一体化される装置本体部と、該装置本体部を持ち上げるための把持部と、を具備する入出力装置において、前記装置本体部の高さを、利用者が着座した状態で、利用者により前記把持部を介して持ち上げ可能な高さに設定することを特徴とする。
【発明の効果】
【００１１】
本発明によれば、視線の妨げにならないように装置本体部を机上に自在に設置することができ、景観を損なわずかつ利用者に圧迫感を与えることがない画像投影及び画像読取の操作運用が可能となる。
【図面の簡単な説明】
【００１２】
【図１】本発明に係る入出力装置を示す概略構成図である。
【図２】本発明の実施形態に係る入出力装置を示す斜視図である。
【図３】入出力装置と利用者との関係を示す側面図である。
【図４】図２の入出力装置の変形例を示す斜視図である。
【発明を実施するための形態】
【００１３】
本発明に係る入出力装置１００について、図１を参照して説明する。
この入出力装置１００は、画像を投影する表示装置１及び画像を取り込む読取装置２が隣接状態で一体化される装置本体部３と、該装置本体部３を持ち上げるための把持部４と、を具備する。
【００１４】
表示装置１は、机に置かれた状態で、机の上面（以下、机上Ｄと表現する）の所定領域Ｅへ画像を投影する。
読取装置２は、同様に机に置かれた状態で、机上Ｄの所定領域Ｅに置いた原稿の画像を取り込む。
表示装置１及び読取装置２からなる装置本体部３は、利用者（符号Ａで示す）が着座した状態で、利用者Ａにより把持部４を介して持ち上げ可能な高さに設定される。
また、把持部４は、椅子に着座した利用者Ａが、装置本体部３を持ち上げることができるよう装置本体部３の側面、背面、上面等に配置される。なお、図１では把持部４が装置本体部３の背面に配置された例が示されている。
【００１５】
そして、以上のような入出力装置１００によれば、表示装置１及び読取装置２からなる装置本体部３が、利用者Ａが着座した状態で、利用者Ａにより把持部４を介して持ち上げ可能な高さに設定される構成である。
これにより本発明の入出力装置１００では、視線の妨げにならないように装置本体部３を机上Ｄに自在に設置することができ、景観を損なわずかつ利用者Ａに圧迫感を与えることがない画像投影及び画像読取の操作運用が可能となる。
すなわち、本発明の入出力装置１００は、利用者Ａが着座した状態で、利用者Ａにより把持部４を介して装置本体部３が持ち上げ可能な高さに設けられるというコンパクトな構成であるので、利用者Ａの横に設置しても邪魔にならず、机の側縁部から机上Ｄに投影した画像を見たり、又は机上Ｄに置いた資料をスキャンしながら商談・面接等を容易に行うことができる。
【００１６】
（実施形態）
本実施形態に係る入出力装置１０１について、図２〜図４を参照して説明する。
この入出力装置１０１は、図２に示されるように、画像を投影する表示装置としてのプロジェクタ１１及び画像を取り込む読取装置としてのイメージスキャナ１２が一体化される装置本体部１３と、該装置本体部１３を持ち上げるための把持部１４と、を具備している。
【００１７】
また、装置本体部１３は、連結部（図示略）によりプロジェクタ１１及びイメージスキャナ１２が横並びかつ隣接状態で一体化された上で、机上Ｄの中央に位置する所定領域Ｅの周縁部付近に設置される。
なお、プロジェクタ１１とイメージスキャナ１２との一体化は、プロジェクタ１１及びイメージスキャナ１２の隣接面に設置された連結部（図示略）を介して行われる。
【００１８】
また、装置本体部１３を構成するプロジェクタ１１及びイメージスキャナ１２はほぼ同じ高さに形成されており、一体化された場合に直方体状の外観をなすものである。
また、プロジェクタ１１及びイメージスキャナ１２からなる装置本体部１３は、利用者Ａが着座した状態で、利用者Ａにより把持部１４を介して持ち上げ可能な高さに設定される（後述する）。
【００１９】
プロジェクタ１１は、画像を出力する画像投影部２０と、画像投影部２０から出力された画像を机上Ｄの所定領域Ｅへ投影する光学レンズ２１とを装置筐体２２内に有しており、画像投影部２０から光学レンズ２１を経由して机上Ｄの所定領域Ｅへ画像を投影する。  なお、この机上Ｄの所定領域Ｅには、プロジェクタ１１から投影された画像が表示される他、スキャン対象（後述する）となる原稿１０が載置される。
【００２０】
イメージスキャナ１２は、画像を取り込むカメラ型のスキャナ部３０と、原稿画像をスキャナ部３０に案内する光学レンズ３１とを装置筐体３２内に有するものであって、机上Ｄの所定領域Ｅ内に載置された原稿１０の画像が、光学レンズ３１を介してスキャナ部３０に案内されてスキャンされる。
なお、プロジェクタ１１及びイメージスキャナ１２の光学レンズ２１，３１として短焦点、非球面ミラーが使用される。
【００２１】
また、プロジェクタ１１の光学レンズ２１、及びイメージスキャナ１２の光学レンズ３１の中心は、利用者Ａによる動作の影響が及ばない、机上Ｄの所定領域Ｅの垂直方向よりも外側に設置される。  
また、把持部１４は、椅子に着座した利用者Ａが、腕又は肩に無理な負担が掛からないように、投影画像を出力する光学レンズ２１又は原読画像を取り込む光学レンズ３１が配置されていない装置本体部１３の背面又は側面に位置する。
なお、図２及び図３には把持部１４が装置本体部１３の側面に配置された例が示されている。
【００２２】
また、プロジェクタ１１及びイメージスキャナ１２からなる装置本体部１３は、図３に示されるように、着座した利用者Ａにより把持部１４を介して持ち上げ可能な高さ（符号ｈで示す）に設定されるが、当該高さ（ｈ）は、利用者Ａの座面位置と肩、肘など身体部位との距離に基づき設定される。
例えば、座面からの成人男性肘の平均高さ（ｈ１）は２６８ｍｍであり、座面からの成人女性肩の平均高さ（ｈ２）は５５９ｍｍであり、これら高さ（ｈ１，ｈ２）の差分（ｈ３）内に装置本体部１３の高さ（ｈ）を収めることが適当とされる。一例として、本実施形態における装置本体部１３の高さ（ｈ）は、利用者Ａにより持ち上げ可能に最適な２４０ｍｍ程度に設定されている。
【００２３】
そして、以上のような入出力装置１０１によれば、プロジェクタ１１及びイメージスキャナ１２からなる装置本体部１３が、着座した利用者Ａにより把持部１４を介して持ち上げ可能な高さ（ｈ）に設定される構成である。
この構成により、本実施形態の入出力装置１０１は、視線の妨げにならないように装置本体部１３を机上Ｄに自在に設置することができ、景観を損なわずかつ利用者Ａに圧迫感を与えることがない画像投影及び画像読取の操作運用が可能となる。
すなわち、本実施形態の入出力装置１０１は、利用者Ａが着座した状態で、利用者Ａにより把持部１４を介して装置本体部１３が持ち上げ可能な高さに設けられるというコンパクトな構成であるので、利用者Ａの横に設置しても邪魔にならず、机の側縁部から机上Ｄに投影した画像を見たり、机上Ｄに置いた資料をスキャンしながら商談・面接等を容易に行うことができる。
【００２４】
なお、上記実施形態の装置本体部１３では、プロジェクタ１１とイメージスキャナ１２との一体化を、プロジェクタ１１及びイメージスキャナ１２の隣接面に設置された連結部（図示略）を介して行なうようにした。
しかし、装置本体部１３は、プロジェクタ１１及びイメージスキャナ１２の間に位置する連結部で一体化することに限定されず、図４に示されるようなトレー４０を用いて一体化しても良い。
【００２５】
このトレー４０は、プロジェクタ１１及びイメージスキャナ１２を並列して上面に載置可能とするものであって、側部に設けられた把持部４１を介して、利用者Ａにより把持可能とされ、かつ上面に載置したプロジェクタ１１及びイメージスキャナ１２を共に運搬可能とする。
そして、このようなトレー４０では、例えば既製品を利用することも可能であり、簡易な方式でプロジェクタ１１及びイメージスキャナ１２を一体化、分離することが可能となる。
また、トレー４０に設けられる把持部４１は、図示するようにリング状に設けることに限定されず、側部に形成した段部により代用しても良い。
また、このトレー４０は、プロジェクタ１１及びイメージスキャナ１２の隣接面に設置された連結部（図示略）と併せて使用しても良い。
【００２６】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００２７】
本発明は、机上へ画像を投影する表示装置（例えばプロジェクタ）と、机上に置いた原稿の画像を取り込む読取装置（例えばイメージスキャナ）とを共に有する入出力装置及び入出力装置の設置方法に利用することができる。
【符号の説明】
【００２８】
１  表示装置
２  読取装置
３  装置本体部
４  把持部
１０  原稿
１１  プロジェクタ
１２  イメージスキャナ
１３  装置本体部
１４  把持部
２０  画像投影部
２１  光学レンズ
２２  装置筐体
３０  スキャナ部
３１  光学レンズ
３２  装置筐体
４０  トレー
４１  把持部
１００  入出力装置
１０１  入出力装置
Ａ  利用者
Ｄ  机上
Ｅ  所定領域
【図１】
2020178252.tif 000003
【図２】
2020178252.tif 000004
【図３】
2020178252.tif 000005
【図４】
2020178252.tif 000006
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
机上の所定領域へ画像を投影する表示装置、及び机上の所定領域に置いた原稿の画像を取り込む読取装置が隣接状態で一体化される装置本体部と、
該装置本体部を持ち上げるために該装置本体部の背面又は側面に設けられた把持部と、を具備し、
前記装置本体部は、利用者が着席した座面からその利用者の肘の高さｈ１と、座面から利用者の肩の高さｈ２との差である高さｈ３より小さい高さｈに設定され、
前記装置本体部を構成する前記表示装置及び読取装置は、画像を投影しかつ原稿を読み取り可能な机上の所定領域の垂直方向上方から見て重なる領域よりも外側に設置されることを特徴とする入出力装置。
【請求項２】
前記装置本体部は、前記表示装置及び読取装置が互いに隣接する隣接面の連結部を介して一体化又は分離可能に設けられていることを特徴とする請求項１に記載の入出力装置。
【請求項３】
前記装置本体部は、机上に設置されるトレーを介して隣接状態で一体化されることを特徴とする請求項１または２のいずれか１に記載の入出力装置。
【請求項４】
前記把持部は、投影画像を出力する光学レンズ又は原稿の画像を取り込むための光学レンズからの光線と交差しない、前記装置本体部の背面又は側面に配置されたことを特徴とする請求項１〜３のいずれか１に記載の入出力装置。
【請求項５】
机上の所定領域へ画像を投影する表示装置、及び机上の所定領域に置いた原稿の画像を取り込む読取装置が隣接状態で一体化される装置本体部と、該装置本体部を持ち上げるために該装置本体部の背面又は側面に設けられた把持部と、を具備する入出力装置において、
前記装置本体部の高さを、利用者が着席した座面からその利用者の肘の高さｈ１と、座面から利用者の肩の高さｈ２との差である高さｈ３より小さい高さｈに設定するとともに、
画像を投影しかつ原稿を読み取り可能な机上の所定領域の垂直方向上方から見て重なる領域よりも外側から前記装置本体部による投影および読み取りを行う
ことを特徴とする入出力装置の設置方法。